(57)【要約】【課題】  噛み終ったチューインガムを包んで捨てるための捨て紙を容器内に収納されているチューインガムと直接接触しない状態に収蔵することを課題とする。【解決手段】  多数個のチューインガムを収納して販売に供するチューインガム容器であって、容器の蓋２の内面２ａに、一側端縁が１枚ずつ剥離可能に綴じられた冊子状の捨て紙４を接着して設けたことにある。【選択図】  図１
0003101914.tif 000002
【実用新案登録請求の範囲】
【請求項１】
多数個のチューインガムを収納して販売に供するチューインガム容器であって、容器の内部適所に複数枚の捨て紙を１枚ずつ取り出し可能に収蔵したことを特徴とするチューインガム容器。
【請求項２】
多数個のチューインガムを収納して販売に供するチューインガム容器であって、容器の蓋の内面に、一側端縁が１枚ずつ剥離可能に綴じられた冊子状の捨て紙を接着して設けたことを特徴とするチューインガム容器。
【請求項３】
前記捨て紙の一側端縁を冊子状に綴じる糊が可食性の糊であり、この捨て紙の冊子の裏面を容器の蓋の内面に前記糊よりも接着力の大きい可食性の糊で接着されている請求項２記載のチューインガム容器。
【請求項４】
前記捨て紙に、噛み終ったチューインガムを包んで捨てるための紙であることを示す印刷表示がなされている請求項１〜３のいずれか１項記載のチューインガム容器。
【請求項５】
多数個のチューインガムを収納して販売に供するチューインガム容器であって、容器の内部適所にポケット部を設け、このポケット部に複数枚の捨て紙を収蔵し、このポケット部から捨て紙を１枚ずつ取り出し得るようにしたことを特徴とするチューインガム容器。
【請求項６】
前記ポケット部は、容器の蓋の内面に設けられ、このポケット部の深さが捨て紙の挿脱方向長さの実質的に１／２以上とされている請求項５記載のチューインガム容器。
【請求項７】
前記ポケット部は、容器本体の内側面に上端を開口して設けられ、捨て紙を上方へ抜き取るようにされている請求項５記載のチューインガム容器。
【請求項８】
前記容器に収納されるチューインガムが糖衣でくるまれた粒状ガムである請求項１〜７のいずれか１項記載のチューインガム容器。
【請求項９】
前記容器は、上端が開口された円筒形のボトル状容器本体と、該本体の開口部に一端がヒンジ結合されて開閉自在とされた蓋とで構成されている請求項１〜８のいずれか１項記載のチューインガム容器。
【請求項１０】
前記容器は、上面が開放された箱状の容器本体と、該本体の開口部に嵌脱自在とされた蓋とで構成されている請求項１〜８のいずれか１項記載のチューインガム容器。
【考案の詳細な説明】
【技術分野】
【０００１】
本考案は、多数個のチューインガムを収納して販売に供するチューインガム容器に関する。
【背景技術】
【０００２】
一般にチューインガム（以下単にガムと略称する）は、噛んだあとそのまま捨てる、所謂「ポイ捨て」が問題となっており、この捨てられたガムが路面に貼り付いて汚れ、街の美観を著しく損うとともにこれを除去する作業が容易でない。
【０００３】
そこで各メーカとも『噛んだあとは紙に包んでくずかごに捨てましょう』という表示を印刷した表示紙を容器の中に入れたり、容器自体に表示して消費者のモラルの向上に努めている。
【０００４】
また容器入りのガム、すなわち糖衣でくるまれた粒状のガムにおいては、包装紙で包まずに裸のまま容器に詰められるのが一般的である。
【０００５】
そこで各メーカとも容器内に収納される粒ガムの個数に対応する枚数の「捨て紙」を一束として粒ガムと一緒に容器内に充填して販売するようになされている。
【０００６】
しかして上記の捨て紙は、噛んだガムを包んで捨てるための紙であることを消費者に明確に知らしめるため、紙面にその旨を印刷して表示するようにしている。
【０００７】
また複数枚の捨て紙がばらけないよう、糊で束状にまとめて容器内に充填されることが多い。
【０００８】
なお上記の技術内容が記載された文献は見当たらない。
【考案の開示】
【考案が解決しようとする課題】
【０００９】
ところで前記の捨て紙は、容器内で粒ガムと常に接触した状態におかれるので、捨て紙に施される印刷用インクや糊は食品に使用しても問題のない材料が用いられてはいるが、粒ガムと長期にわたり接触した状態におかれることは衛生上好ましいものではない。
【００１０】
また容器内の粒ガムの上に捨て紙を載せておいても、搬送中や開封後に粒ガム中に埋もれてしまうことが多く、その存在を探し出す必要が生じたり、手指が容器内の粒ガムに直接触れることになるため非衛生的であるとともに面倒であるなどの問題があった。
【００１１】
本考案はかかる問題点を解消することを課題としてなされたものである。
【課題を解決するための手段】
【００１２】
本考案は上記課題を解決する手段として、多数個のチューインガムを収納して販売に供する容器の内部適所に複数枚の捨て紙を１枚ずつ取り出し可能に収蔵したことにある。
【００１３】
上記捨て紙の収蔵手段として、複数枚の捨て紙の一側端縁を剥離可能に綴じて冊子状とし、この冊子状の捨て紙を容器の蓋の内面に接着して収蔵する構成（請求項２）とすることが好ましい。
【００１４】
この場合、複数枚の捨て紙を冊子状に綴じる糊、および冊子状の捨て紙を容器蓋の内面に接着する糊は食品衛生上無害な可食性の糊（例えば澱粉糊等）を用いること（請求項３）が望ましい。
【００１５】
前記捨て紙に、噛み終ったガムを包んで捨てるための紙であることを示す印刷表示を施すことができる（請求項４）。このように印刷してもその印刷用インクと容器内のガムとは常時接触することのない状態におかれる。
【００１６】
一方、容器の内部適所にポケット部を設け、このポケット部に複数枚の捨て紙を１枚ずつ取り出し得るように収蔵する構成とすることができる（請求項５）。
【００１７】
この場合、請求項６のように、上記ポケット部を容器の蓋の内面に設け、このポケット部の実質的な深さを捨て紙の挿脱方向長さの１／２以上とすることが好ましい。
【００１８】
上記各構成を採用することにより、容器に収納されるガムが糖衣にくるまれた裸の粒ガムであっても支障なく捨て紙と接触しない状態で共存させることができる。
【００１９】
容器の形態は、請求項８に示すボトル状、請求項９に示す箱状等、任意の形態のものであってもよい。
【考案の効果】
【００２０】
本考案によるチューインガム容器によれば、容器内に複数枚の捨て紙を容器内に収納されているガムと常時接触しない状態に収蔵したので、ガムを噛んだあと捨て紙を取り出しやすく、消費者に必ず噛みかすのガムを包んで捨てることを確実に促がすことができ、また収納されているガムと捨て紙とが直接接触していないので食品衛生上も好ましいものとすることができる。
【００２１】
捨て紙を容器の蓋の内面に接着して収蔵する形態の場合、捨て紙の綴じ用の糊および蓋の内面への接着用の糊を可食性の糊とすれば、一層食品衛生上好ましいものとすることができる。
【００２２】
容器の蓋または容器本体にポケット部を設け、このポケット部に捨て紙を挿入して収蔵するようにすれば、捨て紙を綴じずともバラのまま容器内に収蔵することができ、１枚ずつの取り出しも容易とすることができる。
【考案を実施するための最良の形態】
【００２３】
図１は本考案の一実施形態を示すもので、この実施形態における容器は、上端が開口された円筒状の容器本体１と、この容器本体１の開口部１ａを開閉する蓋２とで構成され、容器本体１内に糖衣でくるまれた粒ガム３，３…が収納されており、前記蓋２の内面２ａに捨て紙４を貼付して収蔵した場合を示している。
【００２４】
図１の実施形態では、蓋２の一部が容器本体１の開口部１ａの一側にヒンジ５により結合され、容器本体１から蓋２を分離せずに開閉することができるようになっている。
【００２５】
前記捨て紙４は、図２（Ａ）に表面側を、図２（Ｂ）に裏面側を示すように、容器内に収納される粒ガム３の個数に対応する複数枚の捨て紙４の一側端縁が糊６により１枚ずつ剥離可能に綴じられた冊子状に形成されており、その裏面側が複数箇所の糊７，７…により蓋２の内面２ａに接着される。
【００２６】
これらの糊６，７は、食品衛生上無害な澱粉質の可食性の糊が用いられる。
【００２７】
前記捨て紙４の表面側には、噛んだガムを包んで捨てるための紙であることを知らしめる表示８が印刷されている。この印刷を施す場合は、使用するインクが食品衛生上無害のものとされる。
【００２８】
上記捨て紙４は、容器本体１の直径が６２ｍｍであるとき、４０×３０ｍｍの矩形状乃至は４０×４０ｍｍの正方形とされるが、この大きさに関しては容器の大きさに応じ適宜最適な寸法を選択することができる。なお図において符号９は捨て紙４の剥離時の方向を示す指標である。
【００２９】
したがって粒ガム３を取り出すとき蓋２を開けると、捨て紙４が蓋２の内面２ａに露出し、ここから１枚ずつ剥離して使うことができ、噛み終ったガムをこの捨て紙４に包んでくずかごへ捨てることができる。
【００３０】
上記容器本体１内に収納されている粒ガム３は常時捨て紙４には直接接触しないので衛生的であるとともに捨て紙４の取り出しが至って容易である。
【００３１】
また糖衣でくるまれた粒ガム３は割れやすいので、輸送時に振動を与えないようにされるとともに容器を上下反転させることがなく、そのため粒ガム３が捨て紙４に接触することがないので一層衛生面で好ましい結果を得る。
【００３２】
図３は、容器本体１の開口部１ａにアルミ箔、プラスチックフィルムのような仕切り膜１０で密封した形態の一例を示すもので、これにより蓋２の内面２ａに接着された冊子状の捨て紙４と粒ガム３とが完全に遮断された状態におかれ、販売までは粒ガム３が捨て紙４に接触することが全くなく、開封後も仕切り膜１０を切り取ってしまわなければ仕切りの機能を持続させることができ、一層衛生面で好ましい結果を得ることができる。
【００３３】
図４（Ａ）、（Ｂ）は、蓋２の内面２ａに囲い１１によりポケット部１２を形成し、このポケット部１２にバラ状態の捨て紙４を挿入して収蔵するようにした実施形態を示している。
【００３４】
上記ポケット部１２の深さは、捨て紙４の挿脱方向（矢印方向）の長さの実質的に１／２以上とされている。
【００３５】
これによれば、ポケット部１２を構成する囲い１１の下面で捨て紙４の大半が覆われているので、粒ガム３が捨て紙４に接触することを防ぐ一助となる。
【００３６】
図５は前記ポケット部１２を容器本体１の周胴部１ｂの内面にそって縦方向に形成した場合であり、このポケット部１２にバラ状態で挿入した捨て紙４を１枚ずつ上方へ引き抜いて取り出すようになっている。
【００３７】
これによれば、粒ガム３の収納量をポケット部１２の囲い１１の上端より下位のレベルにすることにより粒ガム３が捨て紙４に直接接触することがない。
【００３８】
図６は容器が箱の場合の蓋２の内面２ａに捨て紙４を接着して設けた実施形態を示している。
【００３９】
この実施形態においても前記図１の実施形態と実質的に同じ作用効果を有する。
【図面の簡単な説明】
【００４０】
【図１】本考案によるチューインガム容器の一実施形態の蓋を開けた状態を示す斜視図。
【図２】図１における捨て紙を取り出して示すもので、（Ａ）は表面側、（Ｂ）は裏面側から見た斜視図。
【図３】図１の変形例を示す要部の断面図。
【図４】本考案によるチューインガム容器の他の実施形態を示し、（Ａ）は蓋部分の断面図、（Ｂ）は同下面図。
【図５】図４の変形例を示す断面図。
【図６】本考案によるチューインガム容器の他の実施形態の蓋を開けた状態を示す斜視図。
【符号の説明】
【００４１】
１  容器本体
１ａ  開口部
２  蓋
３  粒ガム
４  捨て紙
５  ヒンジ
６、７  糊
８  印刷表示
１０  仕切り膜
１１  囲い
１２  ポケット部
【図１】
0003101914.tif 000003
【図２】
0003101914.tif 000004
【図３】
0003101914.tif 000005
【図４】
0003101914.tif 000006
【図５】
0003101914.tif 000007
【図６】
0003101914.tif 000008